(57)【要約】【課題】  ホース引出時に生じ得る不具合を解消することができるホースリールを提供する。【解決手段】  ホースリール１を、ホースリール本体１１と、ホースリール本体１１に回動自在に支持されたドラム１２と、ドラム１２を覆うカバー１３で構成する。ドラム１２を、散水用ホース６１が巻かれる胴部６２と、胴部６２の下端部より側方に延出した鍔部６３で構成し、回転軸６４を上下方向に延在させた状態でホースリール本体１１に支持する。カバー１３を、ホースリール本体１１に回動自在に支持し、側壁面１１１に、ドラム１２に巻き取られる散水用ホース６１が挿通する開口部１４２を開設する。【選択図】        図４
2007191312.tif 000002
【特許請求の範囲】
【請求項１】
ホースを巻き取るドラムがホースリール本体に回動自在に設けられたホースリールにおいて、
前記ドラムの回転軸を上下方向に延在させた状態で当該ドラムを前記ホースリール本体に回転自在に支持するとともに、前記ドラムの外周部を覆うカバーを前記ホースリール本体に回転自在に設け、当該カバーに、前記ドラムに巻き取られる前記ホースが挿通する開口部を設けたことを特徴とするホースリール。
【請求項２】
ホース巻取時に前記ホースが当接する前記開口部の開口縁を、上方へ向かうに従って前記ホースが当接する当接方向に傾いた形状に設定したことを特徴とする請求項１記載のホースリール。
【請求項３】
前記ホースリール本体に、外部と連通した連通口を有する容器部を設けたことを特徴とする請求項１又は２記載のホースリール。
【請求項４】
前記ドラムを、前記ホースが巻かれる胴部と、該胴部の下端部より側方に延出した鍔部とにより構成するとともに、前記カバーに、前記鍔部に対向する対向部を設け、該対向部と前記鍔部との間に、前記胴部に巻き取られる前記ホースの巻取空間を形成したことを特徴とする請求項１、２又は３記載のホースリール。
【請求項５】
前記ドラムの前記鍔部と、該鍔部に対向する前記ホースリール本体の対向面との間に、前記ドラムの回転方向に転動して当該ドラムを回動自在に支持する転動部材を設けたことを特徴とする請求項４記載のホースリール。
【請求項６】
前記鍔部と前記カバー間の間隙寸法を前記ホースの直径未満に設定したことを特徴とする請求項４又は５記載のホースリール。
【請求項７】
前記鍔部と前記カバー間の間隙寸法を前記ホースの半径未満に設定したことを特徴とする請求項４又は５記載のホースリール。
【請求項８】
前記鍔部の周縁部に上方へ起立した起立部を設けたことを特徴とする請求項４から７にいずれか記載のホースリール。
【請求項９】
前記カバーを、前記ドラムに対して、ドラムの上側のみで支持したことを特徴とする請求項１から８にいずれか記載のホースリール。
【請求項１０】
前記ドラムを回転操作する回転操作部を、前記カバーに対して相対的に回転する板状の部材で構成したことを特徴とする請求項１から９にいずれか記載のホースリール。
【発明の詳細な説明】
【技術分野】
【０００１】
本発明は、ホースを巻き取るホースリールに関する。
【背景技術】
【０００２】
従来、ホースを巻き取る際には、ホースリールが用いられていた。
【０００３】
このホースリールとしては、ホースを巻き取るドラムと、該ドラムの胴部を左右側部から回転自在に支持するフレームとによって構成されている。
【０００４】
これにより、前記ドラムに巻かれたホースを引き出して使用できるように構成されている。
【発明の開示】
【発明が解決しようとする課題】
【０００５】
しかしながら、このようなホースリールにあっては、ホースが巻かれるドラムの胴部が水平に配置されるとともに、該胴部の両端にホースを保持する為の鍔が設けられており、ホースの引出方向が前記両鍔間のみに限定されてしまう。
【０００６】
これにより、使用状態において、ホースの引出方向を変更した場合、ホースリールが倒れ易く、転倒時には、ホースリールと蛇口とを接続する接続ホースが外れることがあった。
【０００７】
本発明は、このような従来の課題に鑑みてなされたものであり、ホース引出時に生じ得る不具合を解消することができるホースリールを提供することを目的とするものである。
【課題を解決するための手段】
【０００８】
前記課題を解決するために本発明の請求項１のホースリールにあっては、ホースを巻き取るドラムがホースリール本体に回動自在に設けられたホースリールにおいて、前記ドラムの回転軸を上下方向に延在させた状態で当該ドラムを前記ホースリール本体に回転自在に支持するとともに、前記ドラムの外周部を覆うカバーを前記ホースリール本体に回転自在に設け、当該カバーに、前記ドラムに巻き取られる前記ホースが挿通する開口部を設けた。
【０００９】
すなわち、ホースリール本体には、ホースを巻き取るドラムが、その回転軸を上下方向に延在させた状態で回転自在に支持されている。このため、前記ドラムに巻かれた前記ホースは、当該ドラムを中心とした水平方向のいずれの方向へも引き出される。
【００１０】
このとき、前記ドラムの外周部は、カバーによって覆われている。このため、ホース巻取時には、前記ドラムに巻かれたホースの巻乱れが防止される。
【００１１】
そして、このカバーには、前記ホースが挿通する開口部が設けられており、このカバーは、前記ホースリール本体に回転自在に支持されている。このため、ホース引出時には、ホース引出方向に追従して前記カバーが回動することで、前記開口部の開口方向は、前記ホースの引出方向に向けられる。
【００１２】
また、請求項２のホースリールにおいては、ホース巻取時に前記ホースが当接する前記開口部の開口縁を、上方へ向かうに従って前記ホースが当接する当接方向に傾いた形状に設定した。
【００１３】
すなわち、ホース巻取時において、カバーの開口部を挿通するホースは、当該開口部の開口縁に当接する。
【００１４】
このとき、前記ホースが当接する前記開口部の開口縁は、上方へ向かうに従って当接方向に傾いた形状に設定されている。このため、この開口縁に当接する前記ホースには、上方へ向けた力、すなわち分力が作用する。
【００１５】
さらに、請求項３のホースリールでは、前記ホースリール本体に、外部と連通した連通口を有する容器部を設けた。
【００１６】
これにより、連通口を介して容器部内に例えば水を収容することによって、ホースリール本体の重量の増大が図られる。
【００１７】
加えて、請求項４のホースリールにあっては、前記ドラムを、前記ホースが巻かれる胴部と、該胴部の下端部より側方に延出した鍔部とにより構成するとともに、前記カバーに、前記鍔部に対向する対向部を設け、該対向部と前記鍔部との間に、前記胴部に巻き取られる前記ホースの巻取空間を形成した。
【００１８】
すなわち、ドラムの外周部を覆うカバーに、前記ドラム下端側の鍔部に対向する対向部を設けることで、該対向部と前記鍔部との間に、前記胴部に巻き取られる前記ホースの巻取空間を形成することができる。これにより、前記胴部上部側の鍔部が不要となり、廃止される。
【００１９】
また、請求項５のホースリールにおいては、前記ドラムの前記鍔部と、該鍔部に対向する前記ホースリール本体の対向面との間に、前記ドラムの回転方向に転動して当該ドラムを回動自在に支持する転動部材を設けた。
【００２０】
これにより、前記転動部材が転動することで、ホースリール本体とドラム間に生ずる回転抵抗が抑えられる。
【００２１】
そして、前記転動部材は、前記ドラムの鍔部と、該鍔部に対向した前記ホースリール本体の対向面との間に設けられている。このため、前記ドラムに加わる前記ホースの荷重は、前記転動部材で支持される。
【００２２】
さらに、請求項６のホースリールでは、前記鍔部と前記カバー間の間隙寸法を前記ホースの直径未満に設定した。
【００２３】
すなわち、前記鍔部と前記カバー間の間隙寸法は、前記ホースの直径未満に設定されている。
【００２４】
このため、前記鍔部と前記カバーとの間に形成された間隙への前記ホースの落ち込みが防止される。
【００２５】
加えて、請求項７のホースリールにあっては、前記鍔部と前記カバー間の間隙寸法を前記ホースの半径未満に設定した。
【００２６】
これにより、前記鍔部と前記カバーとの間に形成された間隙への前記ホースの落ち込み防止効果が高められる。
【００２７】
また、請求項８のホースリールにおいては、前記鍔部の周縁部に上方へ起立した起立部を設けた。
【００２８】
すなわち、前記鍔部の周縁部には、上方へ起立した起立部が設けられている。このため、前記胴部に巻かれた状態で前記鍔部に支持されたホースが該鍔部の周縁に達した際には、前記起立部によって当該周縁からの離脱が防止される。
【００２９】
さらに、請求項９のホースリールでは、前記カバーを、前記ドラムに対して、ドラムの上側のみで支持した。
【００３０】
これにより、前記カバーの摺動抵抗が低減されるとともに、構造の簡易化が図られる。
【００３１】
加えて、請求項１０のホースリールにあっては、前記ドラムを回転操作する回転操作部を、前記カバーに対して相対的に回転する板状の部材で構成した。
【００３２】
このため、前記回転操作部を、前記ドラムの回転軸から外側に延出するアームで構成した場合と比較して、アームと筐体との間への異物の巻き込みが防止される。
【発明の効果】
【００３３】
以上説明したように、本発明の請求項１のホースリールにあっては、ドラムに巻かれたホースを、水平方向のいずれの方向へも引き出すことができる。
【００３４】
このとき、前記ドラムへのホースの巻乱れを防止するカバーがホース引出方向に追従して回動することで、前記ホースが挿通する開口部の開口方向を、ホースの引出方向に向けることができる。このため、使用時にホースの引出方向を変更した場合であっても、前記開口部の向きが変わることで、これに対応することができる。
【００３５】
したがって、ホースの引出方向を変えることができなかった従来と比較して、ホースリール本体の転倒を防止することができ、ホースリールと蛇口間の接続ホースが外れるといった不具合を解消することができる。
【００３６】
そして、「ドラムの外周部を覆うカバーを、ホースリール本体に回動自在に設けたこと」によって、「ホースリールの転倒を防止」しつつ、「ホースを巻き取る際、作業者がいる任意の方向からカバーを押さえることができるため、開口部の向きを容易に固定でき、巻き取り時における作業者へのホースの接触を容易に防ぐことが出来る」という優れた効果を奏することができる。
【００３７】
また、請求項２のホースリールにおいては、ホース巻取時にホースが当接するカバーの開口部の開口縁が、上方へ向かうに従って当接方向に傾いた形状に設定されており、この開口縁に当接する前記ホースに、上方へ向けた力、すなわち分力を生じさせることができる。
【００３８】
このため、下部側に偏り勝ちのホースを、ドラムの上部側にも巻き取ることができ、ドラムへのホースの巻き付け状態を、より均一にすることができる。
【００３９】
さらに、請求項３のホースリールでは、連通口を介して容器部内に水などを収容することによって、ホースリール本体の重量を増大することができる。
【００４０】
これにより、ホースリール本体を安定して設置することができ、ホース引出時や巻取時での操作性を向上することができる。
【００４１】
加えて、請求項４のホースリールにあっては、ドラムの外周部を覆うカバーに、前記ドラム下端側の鍔部に対向する対向部を設けることで、該対向部と前記鍔部との間に、前記胴部に巻き取られる前記ホースの巻取空間を形成することができる。
【００４２】
これにより、前記胴部上部側の鍔部を廃止することができ、低コスト化を図ることができる。
【００４３】
また、請求項５のホースリールにおいては、ホースリール本体とドラム間に設けられた転動部材が転動することで、ドラムの回転抵抗を抑えることができる。これにより、ホースの巻き取りをスムーズに行うことができる。
【００４４】
そして、前記転動部材を、前記ドラムの鍔部と、該鍔部に対向した前記ホースリール本体の対向面との間に設けることによって、前記ドラムの加わる前記ホースの荷重を、前記転動部材で支持することができる。このため、ドラムの荷重を軸部で支える場合と比較して、荷重を分散することができる。
【００４５】
さらに、請求項６のホースリールでは、前記鍔部と前記カバー間の間隙寸法は、前記ホースの直径未満に設定されている。
【００４６】
このため、前記鍔部と前記カバーとの間に形成された間隙への前記ホースの落ち込みを防止することができる。
【００４７】
加えて、請求項７のホースリールにあっては、前記鍔部と前記カバー間の間隙寸法が、前記ホースの半径未満に設定されている。
【００４８】
このため、前記鍔部と前記カバーとの間に形成された間隙への前記ホースの落ち込み防止効果をさらに高めることができる。
【００４９】
また、請求項８のホースリールにおいては、前記鍔部の周縁部に上方へ起立した起立部を設けることによって、前記胴部に巻かれたホースが前記鍔部の周縁に達した際に、当該ホースを前記起立部によって周縁より内側に戻すことができる。
【００５０】
これにより、前記ホースの鍔部周縁からの離脱を防止することができる。
【００５１】
さらに、請求項９のホースリールでは、前記カバーを、前記ドラムに対して、ドラムの上側のみで支持することによって、前記カバーの摺動抵抗を低減することができるとともに、ドラムの上下で支持する場合と比較して、構造の簡易化を図ることができる。
【００５２】
加えて、請求項１０のホースリールにあっては、前記ドラムを回転操作する回転操作部を前記カバーに対して相対的に回転する板状の部材で構成したため、前記回転操作部を、前記ドラムの回転軸から外側に延出するアームで構成した場合と比較して、アームと筐体との間への異物の巻き込みを防止することができる。
【発明を実施するための最良の形態】
【００５３】
（第１の実施の形態）
【００５４】
以下、本発明の第１の実施の形態を図に従って説明する。図１及び図２は、本実施の形態にかかるホースリール１を示す図であり、該ホースリール１は、ホースを引き出し自在に巻き取るものである。
【００５５】
このホースリール１は、図３にも示すように、下部を構成するホースリール本体１１と、該ホースリール本体１１に回動自在に支持されたドラム１２と、該ドラム１２を覆うカバー１３とを備えている。
【００５６】
前記ホースリール本体１１は、リング型の容器状に形成された容器部２１と、該容器部２１の上部開口部を閉鎖するリング状の蓋部２２とによって構成されており、前記容器部２１外側の上縁部には、側方に延出した第１段部２３が形成されている。該第１段部２３には、上方に起立した起立部２４が一体形成されており、該起立部２４には、側方に延出した第２段部２５が一体形成され、該第２段部２５には、上下に貫通したスリットが複数箇所に形成されている（図示省略）。前記第２段部２５には、当該容器部２１の外周部を覆うスカート２６が一体形成されており、該スカート２６の上縁は、前記第２段部２５より上方に突出している。
【００５７】
前記容器部２１内側の上縁には、内方に突出する内方突出部３１が設けられており、該内方突出部３１に螺入されたネジ３２によって前記蓋部２２が固定されている。該蓋部２２の中央部には、円形穴３３が開設されており、該円形穴３３の外周部には、Ｖ字状に没入した蓋側Ｖ溝部３４が前記円形穴３３に沿って形成されている。
【００５８】
前記容器部２１の一部には、図４にも示すように、上方に後退した後退部４１が形成されており、該後退部４１に対応した前記スカート２６の部分には、上方に後退した切欠部４２が形成されている。これにより、該切欠部４２は、前記後退部４１を介して前記容器部２１の中央穴４３に連通しており、蛇口に接続される接続用ホース４４が挿通する挿通路が形成されている。
【００５９】
前記容器部２１に形成された前記後退部４１の上部には、図２及び図４にも示すように、前記容器部２１内に連通する連通口５１が開設されており、該連通口５１は、図外のキャップによって閉鎖できるように構成されている。これにより、蛇口からの水を、この連通口５１を介して前記容器部２１内に流入することで、当該ホースリール本体１１の重量を増大できるように構成されている。
【００６０】
前記ドラム１２は、散水用ホース６１が巻かれる円筒形状の胴部６２と、該胴部６２の下端部より側方に延出した鍔部６３とからなり、当該ドラム１２は、その回転軸６４を上下方向に延在させた状態で前記ホースリール本体１１に支持されている。前記鍔部６３の周縁は、上方へ向けて湾曲した湾曲形状に形成されており、当該鍔部６３の周縁部には、上方へ起立した起立部６５が形成されている。
【００６１】
これにより、前記胴部６２に巻かれた状態で前記鍔部６３に支持された散水用ホース６１が該鍔部６３の周縁に達した際には、前記起立部６５によって前記散水用ホース６１を前記胴部６２側へ戻すことによって、該胴部６２に巻き取られた前記散水用ホース６１を当該ドラム１２内に保持できるように構成されている。
【００６２】
前記鍔部６３の内側には、前記蓋部２２の前記蓋側Ｖ溝部３４に対向した鍔側Ｖ溝部７１が形成されており、該鍔側Ｖ溝部７１と前記蓋側Ｖ溝部３４との間には、両Ｖ溝部３４，７１の形状に適合したリング板７２が収容されている。このリング板７２には、半径方向に延在する縦長の保持穴７３が等間隔をおいた八カ所に形成されており、各保持穴７３，・・・には、円柱状の転動部材としてのローラー７４，・・・が回転自在に収容されている。各ローラー７４，・・・は、前記両Ｖ溝部３４，７１の外側の斜面を転動するように構成されており、前記ドラム１２は、各ローラー７４，・・・を介して前記ホースリール本体１１の前記蓋部２２に支持されている。
【００６３】
前記胴部６２の下端部は、前記鍔部６３より下方に突出しており、当該胴部６２の下端には、支持部材８１がネジ８２，・・・によって固定されている。この支持部材８１は、前記胴部６２内に内嵌する容器状の内嵌部８３と、該内嵌部８３の下端より側方に延出するとともに前記胴部６２の外周部に突出したリング板形状の支持部８４とによって構成されている。この支持部８４は、前記ホースリール本体１１の前記容器部２１に設けられた内方突出部３１の下部に配置されるように構成されており、当該ドラム１２の上方への抜けが防止されている。
【００６４】
前記内嵌部８３の奥側に設けられた奥壁面９１には、ジョイント９２が固定されており、該ジョイント９２の下部には、前記接続用ホース４４に設けられた接続部９３が着脱自在に接続されるように構成されている。また、前記ジョイント９２の上部には、前記散水用ホース６１に設けられた接続部９４が着脱自在に接続されるように構成されており、この散水用ホース６１は、図３に示したように、前記胴部６２の上部に設けられた連通穴９５を介して当該胴部６２の外側に延出されるとともに、該胴部６２に巻き付けられるように構成されている。
【００６５】
この胴部６２の上端は、閉鎖部１０１によって閉鎖されており、該閉鎖部１０１の端面には、ハンドル接続部１０２が上方へ向けて突設されている。
【００６６】
前記カバー１３は、前記ドラム１２の外周部を覆う側壁面１１１と、該側壁面１１１の上端に設けられた天面１１２とによって下方に開口した容器状に形成されている。
【００６７】
前記側壁面１１１は、下方へ向けて傾斜しており、安定性・作業性の向上を図るとともに、コストダウンを図れるように構成されている。
【００６８】
このカバー１３は、前記側壁面１１１と前記ドラム１２の前記鍔部６３間の間隙寸法Ｋが前記散水用ホース６１の直径Ｇ未満であるとともに、当該散水用ホース６１の半径Ｒ未満となるように設定されており、前記鍔部６３と前記カバー１３の側壁面１１１との間に形成された間隙への前記散水用ホース６１の落ち込みを防止できるように構成されている。
【００６９】
また、前記カバー１３の天面１１２は、前記ドラム１２の前記鍔部６３に対向する対向部を構成しており、当該天面１１２と前記鍔部６３との間には、前記胴部６２に巻き取られる前記散水用ホース６１の巻取空間１１３が形成されている。
【００７０】
このカバー１３の内側面には、上下に延在する複数の凸条リブ１１４が等間隔をおいて設けられており、各凸条リブ１１４，・・・は、内側面の全周に渡って形成されている。これにより、巻き取られる散水用ホース６１との接触抵抗が小さくなるように構成されており、散水用ホース６１の巻取をスムーズに行えるように構成されている。
【００７１】
また、前記天面１１２には、前記ドラム１２の前記ハンドル接続部１０２が挿通するハンドル挿通穴１２１が形成されており、該ハンドル挿通穴１２１を挿通した前記ハンドル接続部１０２には、回転操作部１２２の軸部１２３が嵌着された状態で固定されている。
【００７２】
該回転操作部１２２は、前記カバー１３に対して相対的に回転する平面視円形の板状の部材で構成されている。
【００７３】
具体的には、当該回転操作部１２２は、図３に示したように、前記軸部１２３を備えたドラム接続部１３２と、該ドラム接続部１３２中央の凹部に嵌着されたキャップ１３１とによって構成されており、該ドラム接続部１３２の周縁に形成されたフランジ１３３は、前記天面１１２に形成されたリング状凸条１１２ａに外嵌した状態で回動自在に支持されている。前記ドラム接続部１３２の周縁部には、上方に突出したハンドル１３４が形成されており、該ハンドル１３４には、把持用のボール１３５が設けられている。これにより、このハンドル１３４のボール１３５を握って当該回転操作部１２２を回動することにより、ホースリール１内の前記ドラム１２を前記回転軸６４を中心に回動できるように構成されている。
【００７４】
前記カバー１３は、前記ハンドル挿通穴１２１の外周部が前記ドラム１２の前記胴部６２の上端に支持されている。これにより、前記カバー１３は、前記ドラム１２における前記胴部６２の上側のみで支持されており、当該カバー１３は、前記ホースリール本体１１に回動自在に支持されている。
【００７５】
また、当該カバー１３の前記側壁面１１１は、その下端部が前記ホースリール本体１１の前記スカート２６上端部に内嵌した状態で前記第２段部２５に摺動自在に支持されており、前記第２段部２５の上面は、前記カバー１３の前記側壁面１１１の下端と摺接する台座部２５ａを構成している。これにより、この回転台座部２５ａは、前記カバー１３に対する回転抵抗部として作用し、前記カバー１３が回転しすぎてしまう、使いにくさを低減することができる。このとき、適度な回転抵抗を得るためには、前記カバー１３自体の自重による慣性力の効果もある。
【００７６】
このとき、前記カバー１３の前記側壁面１１１の高さ寸法をやや短めに設定することで、前記側壁面１１１の下端部を前記第２段部２５から浮かせることができる。これにより、前記カバー１３の摺動抵抗の低減と、構造の簡易化を図ることができる。
【００７７】
また、前記カーバー１３に付着した水や埃は、前記側壁面１１１に沿って前記スカート２６上端の内側に侵入するが、前記第２段部２５に設けられたスリットを介して、下方の落下させるように構成されている。
【００７８】
前記側壁面１１１の外周には、左右に突出する取っ手１４１，１４１が形成されており、この取っ手１４１，１４１によって巻き取り時の回転を押さえることができる。
【００７９】
また、この取っ手１４１，１４１は、当該カバー１３の外周の上部にあるため、平滑面を押さえる場合と比較して、使い易いように工夫されている。
【００８０】
さらに、前記カバー１３の側壁面１１１を下方へ向けて傾斜した構造との組み合わせによって、省スペース化を図ることもできる。
【００８１】
そして、当該取っ手１４１，１４１を把持して持ち上げた際には、当該カバー１３が前記回転操作部１２２及びドラム１２を一体的に上動するとともに、該ドラム１２に設けられた支持部材８１が前記ホースリール本体１１を上動することによって、当該ホースリール１を持ち上げられるように構成されている。また、前記側壁面１１１には、図１、図２、図４に示したように、前記ドラム１２に巻き取られる前記散水用ホース６１が挿通する開口部１４２が開設されている。
【００８２】
この開口部１４２は、図１及び図２にも示したように、台形状に形成されており、略水平に延設された下縁部１５１と、該下縁部１５１の左端より起立した左縁部１５２と、前記下縁部１５１の右端より起立した右縁部１５３と、左縁部１５２及び右縁部１５３の上端を連設する湾曲形状の上縁部１５４とによって包囲されている。
【００８３】
前記左縁部１５２は、前記下縁部１５１から上方へ向かうに従って左方へ向けて傾斜しており、前記右縁部１５３は、前記下縁部１５１から上方へ向かうに従って右方へ向けて傾斜している。これにより、前記開口部１４２は、下方から上方へ向かうに従って、その横幅寸法が広くなるように構成されている。
【００８４】
そして、前記開口部１４２を挿通する前記散水用ホース６１を巻き取る際には、その巻き取り方向によって、前記散水用ホース６１が前記左縁部１５２又は右縁部１５３のいずれかに当接するように構成されており、前記散水用ホース６１を平面視時計回りに巻き取る際には、当該散水用ホース６１が前記左縁部１５２に当接する。このとき、この左縁部１５２は、前記下縁部１５１から上方へ向かうに従って左方へ向けて傾斜した直線状に形成されており、前記散水用ホース６１が当接する当接方向に傾いた形状に設定されている。また、前記散水用ホース６１を平面反視時計回りに巻き取る際には、当該散水用ホース６１が前記右縁部１５３に当接することとなる。このとき、この右縁部１５３は、前記下縁部１５１から上方へ向かうに従って右方へ向けて傾斜した直線状に形成されており、前記散水用ホース６１が当接する当接方向に傾いた形状に設定されている。
【００８５】
なお、これらの傾いた形状は、直線のみに限定されるものではなく、曲線で形成しても良い。
【００８６】
そして、前記開口部１４２の開口縁部を形成する前記各縁部１５１〜１５４は、前記カバー１３前記側壁面１１１より側方に突出しており、各縁部１５１〜１５４の横断面は、開口部１４２の内側へ向けて突出した円弧状に形成されている。これにより、摺接する前記散水用ホース６１の摺接抵抗を抑えられるように構成されている。
【００８７】
なお、前記各縁部１５１〜１５４に付いては、側方に突出した突出形状を廃止しても良い。この場合、各縁部１５１〜１５４に沿ってローラを設けることにより、前記散水用ホース６１の摺接抵抗を抑えることができる。
【００８８】
以上の構成にかかる本実施の形態において、このホースリール１のホースリール本体１１には、散水用ホース６１を巻き取るドラム１２が、その回転軸６４を上下方向に延在させた状態で回転自在に支持されている。このため、前記ドラム１２に巻かれた前記散水用ホース６１は、当該ドラム１２を中心とした水平方向のいずれの方向へも引き出すことができる。
【００８９】
このとき、前記ドラム１２への散水用ホース６１の巻乱れを防止するカバー１３も、前記回転軸６４を中心として回動自在に支持されており、当該カバー１３がホース引出方向に追従して回動することで、前記散水用ホース６１が挿通する開口部１４２の開口方向を、前記散水用ホース６１の引出方向に向けることができる。
【００９０】
このため、使用時に散水用ホース６１の引出方向を変更した場合であっても、前記開口部１４２の向きが変わることで、これに対応することができる。
【００９１】
したがって、散水用ホース６１の引出方向を変えることができなかった従来と比較して、ホースリール本体１１の転倒を防止することができ、またホースリール１と蛇口とを接続する接続用ホース４４が外れるといった不具合を解消することができる。
【００９２】
そして、前記ドラム１２の外周部を覆う前記カバー１３を、前記ホースリール本体１１に回動自在に設けたことによって、前記ホースリール１の転倒を防止しつつ、前記散水用ホース６１を巻き取る際、作業者がいる任意の方向から前記カバー１３を押さえることができるため、前記開口部１４２の向きを容易に固定でき、巻き取り時における作業者への前記散水用ホース６１の接触を容易に防ぐことが出来るという優れた効果を奏することができる。
【００９３】
また、このホース巻取時において、前記カバー１３の前記開口部１４２を挿通する前記散水用ホース６１は、当該開口部１４２の開口縁に当接する。
【００９４】
このとき、前記散水用ホース６１が当接する前記開口部１４２の左縁部１５２及び右縁部１５３は、上方へ向かうに従って前記散水用ホース６１が当接する当接方向に傾いた形状に設定されており、この左縁部１５２及び右縁部１５３に当接する前記散水用ホース６１に、上方へ向けた力、すなわち分力を生じさせることができる。
【００９５】
このため、下部側に偏り勝ちの散水用ホース６１を、前記ドラム１２の上部側にも巻き取ることができ、当該ドラム１２への散水用ホース６１の巻き付け状態を、より均一にすることができる。
【００９６】
一方、このドラム１２の外周部を覆う前記カバー１３には、前記ドラム１２下端側の鍔部６３に対向する対向部としての天面１１２が形成されており、該天面１１２と前記鍔部６３との間には、前記胴部６２に巻き取られた前記散水用ホース６１の巻取空間１１３が形成されている。
【００９７】
このため、前記胴部６２上部側への鍔部の形成を廃止することができ、低コスト化を図ることができる。
【００９８】
また、前記ドラム１２と前記ホースリール本体１１との間には、前記ドラム１２の回転方向に転動して当該ドラム１２を回動自在に支持する転動部材としてのローラー７４，・・・が配設されている。このため、これらローラー７４，・・・が転動することで、前記ホースリール本体１１と前記ドラム１２との間に生ずる回転抵抗を抑えることができ、前記散水用ホース６１の巻き取りをスムーズに行うことができる。
【００９９】
そして、前記ローラー７４，・・・は、前記ドラム１２の前記鍔部６３と、該鍔部６３に対向した前記ホースリール本体１１の蓋部２２との間に設けられており、前記ドラム１２の加わる前記散水用ホース６１の荷重を、前記各ローラー７４，・・・で支持することができる。このため、前記ドラム１２の荷重を軸部で支える場合と比較して、荷重を分散することができる。
【０１００】
加えて、前記ホースリール本体１１には、外部と連通した連通口５１を有する容器部２１が形成されており、前記連通口５１を介して前記容器部２１内に水などを収容するとともに、前記連通口５１をキャップで閉鎖することによって、ホースリール本体１１の重量を増大することができる。
【０１０１】
これにより、当該ホースリール本体１１を安定して設置することができ、ホース引出時や巻取時での操作性を向上することができる。
【０１０２】
また、前記ドラム２１における前記鍔部６３の周縁部には、上方へ起立した起立部６５が設けられている。このため、前記胴部６２に巻かれた状態で前記鍔部６３に支持された散水用ホース６１が該鍔部６３の周縁に達した際には、前記起立部６５によって前記胴部６２側へ戻すことができる。
【０１０３】
これにより、前記散水用ホース６１の前記鍔部６３周縁からの離脱を防止することができる。
【０１０４】
そして、この鍔部６３と前記カバー１３の前記側壁面１１１間の間隙寸法Ｋは、前記散水用ホース６１の直径Ｇ未満に設定されている。
【０１０５】
このため、前記鍔部６３と前記カバー１３の前記側壁面１１１との間に形成された間隙への前記散水用ホース６１の落ち込みを防止することができる。
【０１０６】
このとき、前記鍔部６３と前記カバー１３の前記側壁面１１１間の間隙寸法Ｋが、前記散水用ホース６１の半径Ｒ未満に設定されている。
【０１０７】
このため、前記鍔部６３と前記カバー１３の前記側壁面１１１間に形成された間隙への前記散水用ホース６１の落ち込み防止効果をさらに高めることができる。
【０１０８】
加えて、前記カバー１３は、前記ドラム１２の上側のみで支持されている。
【０１０９】
このため、前記カバー１３の摺動抵抗を低減することができるとともに、前記ドラム１２の上下で支持する場合と比較して、構造の簡易化を図ることができる。
【０１１０】
また、前記ドラム１２を回転操作する前記回転操作部１２２を、前記カバー１３に対して相対的に回転する板状の部材で構成したため、前記回転操作部１２２を、前記ドラム１２の回転軸６４から外側に延出するアームで構成した場合と比較して、アームと筐体との間への異物の巻き込みを確実に防止することができる。
【０１１１】
（第２の実施の形態）
【０１１２】
図５は、第２の実施の形態にかかるホースリール１００１を示す図であり、第１の実施の形態と同一又は同等部分に付いては同符号を付して説明を割愛するとともに、異なる部分に付いてのみ説明する。
【０１１３】
すなわち、このホースリール１００１では、第１の実施の形態において前記ドラム１２の外周部を全周に渡って覆っていた前記カバー１３を開口部１４２が設けられた部分のみとし、他の部分を削減したものである。
【０１１４】
前記開口部１４２は、台形状に形成されており、略水平に延設された下縁部１５１と、該下縁部１５１の左端より起立した左縁部１５２と、前記下縁部１５１の右端より起立した右縁部１５３と、左縁部１５２及び右縁部１５３の上端を連設する湾曲形状の上縁部１５４とによって包囲されている。
【０１１５】
前記左縁部１５２は、前記下縁部１５１から上方へ向かうに従って左方へ向けて傾斜しており、前記右縁部１５３は、前記下縁部１５１から上方へ向かうに従って右方へ向けて傾斜している。これにより、前記開口部１４２は、下方から上方へ向かうに従って、その横幅寸法が広くなるように構成されている。
【０１１６】
そして、前記開口部１４２を挿通する前記散水用ホース６１を巻き取る際には、その巻き取り方向によって、前記散水用ホース６１が前記左縁部１５２又は右縁部１５３のいずれかに当接するように構成されており、前記散水用ホース６１を平面視時計回りに巻き取る際には、当該散水用ホース６１が前記左縁部１５２に当接する。このとき、この左縁部１５２は、前記下縁部１５１から上方へ向かうに従って左方へ向けて傾斜した直線状に形成されており、前記散水用ホース６１が当接する当接方向に傾いた形状に設定されている。また、前記散水用ホース６１を平面反視時計回りに巻き取る際には、当該散水用ホース６１が前記右縁部１５３に当接することとなる。このとき、この右縁部１５３は、前記下縁部１５１から上方へ向かうに従って右方へ向けて傾斜した直線状に形成されており、前記散水用ホース６１が当接する当接方向に傾いた形状に設定されている。
【０１１７】
なお、これらの傾いた形状は、直線のみに限定されるものではなく、曲線で形成しても良い。
【０１１８】
以上の構成においても、第１の実施の形態と同様に、ホースリール１００１の転倒を防止し、かつ、散水用ホース６１の巻き付け状態を均一化するという効果を得ることができる。
【０１１９】
加えて、前記カバー１３が前記ドラム１２の外周部を全周に渡って覆う第１の実施の形態と比較して、材料費を削減することができる。
【図面の簡単な説明】
【０１２０】
【図１】本発明の第１の実施の形態を示す斜視図である。
【図２】同実施の形態の側面図である。
【図３】図１のＡ−Ａ線に沿った断面図である。
【図４】図１のＢ−Ｂ線に沿った断面図である。
【図５】本発明の第２の実施の形態を示す図で、（ａ）は斜視図であり、（ｂ）は要部の断面図である。
【符号の説明】
【０１２１】
１    ホースリール
１１    ホースリール本体
１２    ドラム
１３    カバー
２１    容器部
６１    散水用ホース
６２    胴部
６３    鍔部
６４    回転軸
６５    起立部
７４    ローラー
１１２    天面
１１３    巻取空間
１２２    回転操作部
１４２    開口部
１００１    ホースリール
Ｇ    直径
Ｋ    間隙寸法
Ｒ    半径
【図１】
2007191312.tif 000003
【図２】
2007191312.tif 000004
【図３】
2007191312.tif 000005
【図４】
2007191312.tif 000006
【図５】
2007191312.tif 000007